(57)【要約】      （修正有）【課題】唐箕ファンによる選別風の効果的な流れを形成しつつ、機外に排出される穀粒のロス量を可及的に減少させ得るコンバインを提供する。【解決手段】脱穀部１１０と、チャフシーブ２２０及びストローラック２３０を有する揺動選別機構１５０Ａと、唐箕ファン４１０と、吸引ファン４５０とを備える。前記吸引ファンと前記ストローラックとの間には、該吸引ファンの吸引側及び吐出側を連通する開口５１０が設けられている。さらに、前記開口の少なくとも一部を遮るように、基端部回りに弾性変形可能な遮閉部材５５０が設けられている。好ましくは、機体の長手方向に関しチャフシーブとストローラックとの間に、唐箕ファンからの選別風を吸引ファンへ案内するように、機体幅方向に延びる風向板６００が設けられる。【選択図】図３
2006254815.tif 000002
【特許請求の範囲】
【請求項１】
刈り取られた穀稈を脱穀する脱穀部と、
前記脱穀部によって脱穀された被脱穀物から穀粒を選別するチャフシーブ及び該チャフシーブの後方に配設され、不要物を機体後方へ搬送するストローラックを有する揺動選別機構と、
前記揺動選別機構に対して下方から上方へ抜ける選別風を送出する唐箕ファンと、
前記揺動選別機構の上方に位置する吸引ファンであって、前記唐箕ファンからの選別風を吸引して機外に排出させる吸引ファンとを備え、
前記吸引ファンと前記ストローラックとの間には、該吸引ファンの吸引側及び吐出側を連通する開口が設けられており、
前記開口の少なくとも一部を遮るように、基端部回りに弾性変形可能な遮閉部材が設けられていることを特徴とするコンバイン。
【請求項２】
前記吸引ファンを覆う吸引ファンカバーであって、前記揺動選別機構を向く吸引口と、機外に連通された吐出口とを有する吸引ファンカバーを、さらに備え、
前記遮閉部材は、自由端部が前記ストローラックとの間に間隙を存する状態で、前記基端部が前記吸引ファンカバーに連結されていることを特徴とする請求項１に記載のコンバイン。
【請求項３】
前記ストローラックは、機体の長手方向に関し前端部及び後端部の間に、下方へ凹んだ凹部を有しており、
前記遮閉部材は、自由端部が、機体の長手方向に関し、前記凹部と同一位置又は該凹部より後方に位置するように、配設されていることを特徴とする請求項１又は２に記載のコンバイン。
【請求項４】
機体の長手方向に関し前記チャフシーブと前記ストローラックとの間に、前記唐箕ファンからの選別風を前記吸引ファンへ案内するように、機体幅方向に延びる風向板が設けられていることを特徴とする請求項１から３の何れかに記載のコンバイン。
【請求項５】
前記風向板の下端部は、前記唐箕ファンからの選別風の風路を画する流穀板に近接するように、前記チャフシーブの下端部よりも下方に位置していることを特徴とする請求項４に記載のコンバイン。
【請求項６】
互いの間に間隙を存しつつ機体の長手方向に並設された複数の前記風向板を備え、
該複数の風向板は、最も前方に位置する風向板から、前記流穀板によって案内される選別風を最も多く案内する風向板へ行くに従って、上端部が上方に位置するように構成されていることを特徴とする請求項５に記載のコンバイン。
【請求項７】
互いの間に間隙を存しつつ機体の長手方向に並設された複数の前記風向板を備え、
該複数の風向板は、前方側に位置する風向板から後方に位置する風向板へ行くに従って、下端部が下方に位置するように構成されていることを特徴とする請求項４から６の何れかに記載のコンバイン。
【発明の詳細な説明】
【技術分野】
【０００１】
本発明は、コンバインに関する。
【背景技術】
【０００２】
コンバインは、穀稈を刈り取る刈取部と、該刈取部によって刈り取った穀稈を脱穀する脱穀部と、該脱穀部によって脱穀した被脱穀物から穀粒を選別する選別部とを備えている。
前記選別部は、穀粒の選別を行う揺動選別機構と、前記揺動選別機構に対して選別風を送出する風選別機構とを備えている。
詳しくは、前記揺動選別機構は、前記被脱穀物から穀粒を選別するチャフシーブと、該チャフシーブによって選別された不要物のうち、排藁等の大きな不要物を機体後方へ搬送するストローラックとを有している。
前記風選別機構は、前記揺動選別機構に対して下方から上方へ抜ける選別風を送出する唐箕ファンと、飛散する塵等と共に、前記唐箕ファンからの選別風を吸引する吸引ファンとを有している。
【０００３】
ところで、前記吸引ファンの吸引構造としては、該吸引ファンの吸引側と吐出側とが該吸引ファンを介した主経路のみによって連通された密閉吸引方式と、前記主経路に加えて、前記吸引ファンの吸引側と吐出側とが開口によっても連通された大口開放方式（特許文献１参照）とが存在する。
【０００４】
前記密閉吸引方式は、前記唐箕ファンからの前記選別風を機外に排出させる風路が、前記主経路のみになる為、乱流が発生し易く、選別風の効率的な流れを形成するのが困難であるという問題がある。
これに対し、前記大口開放方式は、前記開口の存在によって乱流の発生を防止して、選別風の効率的な流れを形成し易いが、その反面、選別風に乗って飛散する穀粒が前記開口を介して機外に排出され、ロスが生じ易いという不具合がある。又、選別風の流れを有効に形成させる為に、前記吸引ファンの吸引量を大きくすると、穀粒までも吸引して機外に排出してまい、ロスが生じてしまう。
【特許文献１】特開２００４−９７１６４号公報
【発明の開示】
【発明が解決しようとする課題】
【０００５】
本発明は、前記従来技術に鑑みなされたものであり、唐箕ファンによる選別風の効果的な流れを形成しつつ、機外に排出される穀粒のロス量を可及的に減少させ得るコンバインの提供を、一の目的とする。
【課題を解決するための手段】
【０００６】
本発明は、前記目的を達成するために、刈り取られた穀稈を脱穀する脱穀部と、前記脱穀部によって脱穀された被脱穀物から穀粒を選別するチャフシーブ及び該チャフシーブの後方に配設され、不要物を機体後方へ搬送するストローラックを有する揺動選別機構と、前記揺動選別機構に対して下方から上方へ抜ける選別風を送出する唐箕ファンと、前記揺動選別機構の上方に位置する吸引ファンであって、前記唐箕ファンからの選別風を吸引して機外に排出させる吸引ファンとを備え、前記吸引ファンと前記ストローラックとの間には、該吸引ファンの吸引側及び吐出側を連通する開口が設けられており、前記開口の少なくとも一部を遮るように、基端部回りに弾性変形可能な遮閉部材が設けられているコンバインを提供する。
【０００７】
好ましくは、前記吸引ファンを覆う吸引ファンカバーであって、前記揺動選別機構を向く吸引口と、機外に連通された吐出口とを有する吸引ファンカバーを、さらに備え、前記遮閉部材は、自由端部が前記ストローラックとの間に間隙を存する状態で、前記基端部が前記吸引ファンカバーに連結され得る。
【０００８】
又、前記ストローラックは、機体の長手方向に関し前端部及び後端部の間に、下方へ凹んだ凹部を有し得る。斯かる態様においては、前記遮閉部材は、自由端部が、機体の長手方向に関し、前記凹部と同一位置又は該凹部より後方に位置するように、配設され得る。
【０００９】
前記種々の態様において、好ましくは、機体の長手方向に関し前記チャフシーブと前記ストローラックとの間に、前記唐箕ファンからの選別風を前記吸引ファンへ案内するように、機体幅方向に延びる風向板を設けることができる。
【００１０】
好ましくは、前記風向板の下端部は、前記唐箕ファンからの選別風の風路を画する流穀板に近接するように、前記チャフシーブの下端部よりも下方に位置され得る。
互いの間に間隙を存しつつ機体の長手方向に並設された複数の前記風向板を備える態様においては、該複数の風向板は、最も前方に位置する風向板から、前記流穀板によって案内される選別風を最も多く案内する風向板へ行くに従って、上端部が上方に位置するように構成され得る。
【００１１】
又、互いの間に間隙を存しつつ機体の長手方向に並設された複数の前記風向板を備える態様においては、該複数の風向板は、前方側に位置する風向板から後方に位置する風向板へ行くに従って、下端部が下方に位置するように構成され得る。
【発明の効果】
【００１２】
以上のように、本発明によれば、吸引ファンとストローラックとの間に、該吸引ファンの吸引側及び吐出側を連通する開口を設け、且つ、該開口の少なくとも一部を遮るように、基端部回りに弾性変形可能な遮閉部材を設けたので、選別風の効率的な流れを形成しつつ、該選別風に乗って飛散する穀粒が前記開口を介して機外に排出されることを有効に防止でき、穀粒の回収効率を向上させることができる。
又、前記遮閉部材が弾性変形可能である為、前記ストローラックによって搬送される大きな固まり状の不要物による目詰まりも防止できる。
【００１３】
前記遮閉部材の自由端部が前記ストローラックとの間に間隙を存する状態で、該遮閉部材の基端部を吸引ファンカバーに連結すれば、該遮閉部材を取り付ける為の部材を別途設ける必要がなく、脱穀機枠の側板と該遮閉部材とで、飛散する穀粒を有効に遮ることができる。
【００１４】
前記ストローラックに凹部を設け、前記遮閉部材の自由端部が、機体の長手方向に関し、前記凹部と同一位置又は該凹部より後方に位置するように構成すれば、該ストローラックによって搬送される不要物の目詰まりを、より効果的に防止できる。
【００１５】
機体の長手方向に関しチャフシーブとストローラックとの間に、唐箕ファンからの選別風を吸引ファンへ案内する風向板を設ければ、前記唐箕ファンから前記吸引ファンへの効果的な選別風の流れを形成できる。
【００１６】
前記風向板の下端部が、前記唐箕ファンからの選別風の風路を画する流穀板に近接するように、前記チャフシーブの下端部よりも下方に位置させれば、該風向板の有効面積を増大させることができ、より効果的に選別風の流れを形成できる。
【００１７】
前記風向板が複数設けられる態様においては、最も前方に位置する風向板から、流穀板によって案内される選別風を最も多く案内する風向板へ行くに従って、上端部が上方に位置するように構成すれば、チャフシーブからストローラックへの不要物の搬送性を維持しつつ、唐箕ファンから吸引ファンへの効果的な選別風の流れを形成できる。
【００１８】
又、前記風向板が複数設けられる態様において、前方側に位置する風向板から後方に位置する風向板へ行くに従って、下端部が下方に位置するように構成すれば、該風向板の有効面積を増大させることができ、唐箕ファンから吸引ファンへの効果的な選別風の流れを形成できる。
【発明を実施するための最良の形態】
【００１９】
以下に、本発明の好ましい実施の形態に係るコンバインについて、添付図面を参照しつつ説明する。
図１及び図２は、それぞれ、本実施の形態に係るコンバイン１Ａの側面図及び平面図である。
【００２０】
まず、該コンバインの全体構成について説明する。
図１及び図２に示すように、該コンバイン１Ａは、クローラ式走行装置１と、該クローラ式走行装置に連結された機体フレーム２と、前記機体フレーム２の右側前方に配設された運転部１４と、前記機体フレーム２の前部に昇降可能に連結された刈取・引き起こし装置３と、該刈取・引き起こし装置３によって刈り取られた穀稈を搬送する搬送装置８ａ，８ｂ，８ｃと、該搬送装置８ａ，８ｂ，８ｃから穀稈の株元を受け継ぎ、後方へ搬送するフィードチェーン装置９と、該フィードチェーン装置９による搬送途中において前記穀稈を脱穀し、且つ、穀粒を選別する脱穀装置１００と、該脱穀装置１００によって選別された穀粒を貯留する為のグレンタンク１３と、該グレンタンク１３内に貯留された穀粒を外部に排出させる為の穀粒排出装置１５と、前記フィードチェーン装置９から排藁を受け継ぐ排藁チェーン装置１０と、該排藁チェーン装置１０によって搬送された排藁を処理する排藁処理装置１１とを備えている。
【００２１】
前記刈取・引き起こし装置３は、前端部に設けられた分草板４と、該分草板４の後方に立設された引き起こし機構５と、該引き起こし機構５の後方に配設された刈刃７とを備えており、前記分草板４によって分草された穀稈を前記引き起こし機構５に設けられたタイン６によって引き起こし、起立された穀稈の株元を前記刈刃７によって刈り取るように構成されている。
【００２２】
前記搬送装置８ａ，８ｂ，８ｃは、下部搬送装置８ａ，上部搬送装置８ｂ及び縦搬送装置８ｃを含み、該縦搬送装置８ｃから穀稈の株元を前記フィードチェーン装置９へ受け継ぐように構成されている。
【００２３】
前記フィードチェーン装置９は、穀稈の穂先が前記脱穀装置１００における扱胴１３０によって脱穀処理される状態で、該穀稈を後方へ搬送するように構成されている。
なお、前記脱穀装置１００については後述する。
【００２４】
前記グレンタンク１３は、前記脱穀装置１００によって選別され且つ下記一番樋３１０に集約された一番穀粒を貯留するように構成されている。
詳しくは、前記一番樋３１０に集約された一番穀粒は、下記一番搬送コンベア３３０及び揚穀コンベア（図示せず）を介して、前記グレンタンク１３内に搬入される。
本実施の形態においては、該グレンタンク１３は、前記機体フレーム２における右側前方に設けられた運転部１４の後方に配設されている。
【００２５】
前記穀粒排出装置１５は、前記グレンタンク１３の底部に設けられた排出コンベア（図示せず）と、該排出コンベアからの穀粒を上方へ搬送する縦排出オーガ１７と、基端部が前記縦排出オーガ１７の上端部に連通された横排出オーガ１８とを備え、該横排出オーガ１８の先端部に設けられた排出口１９を介して前記グレンタンク１３内の穀粒を外部に排出させ得るように構成されている。
なお、本実施の形態においては、前記グレンタンク１３は、前記縦排出オーガ１７を中心にして側方へ回動可能とされており、これにより、機体内部に配置される駆動機器や油圧機器のメンテナンス性を向上させている。
【００２６】
前記排藁処理装置１１は、排藁カッターや拡散コンベアを備えることができ、前記脱穀装置１００によって脱穀された後の排藁を切断し、又は、切断せずに機外に排出させ得るように構成されている。
【００２７】
ここで、前記脱穀装置１００について説明する。
図３及び図４に、それぞれ、該脱穀装置１００の模式断面図及び模式背面図を示す。
該脱穀装置１００は、前記フィードチェーン装置９によって後方へ搬送される穀稈に対して脱穀処理を行う脱穀部１１０と、該脱穀部１１０の下方に配設され、該脱穀部１１０によって脱穀され且つ流下する被脱穀物から穀粒を選別する選別部１５０とを備えている。
【００２８】
図３に示すように、前記脱穀部１１０は、脱穀機枠１２１によって画される扱室１２０と、該扱室１２０内において機体前後方向に沿った回転軸回りに回転駆動される扱胴１３０と、該扱胴１３０の下方に配設された扱胴受網１４０とを備えている。
前記扱胴１３０は外周面に立設された扱歯１３１を有しており、該扱歯１３１によって、前記フィードチェーン装置９を介して搬送される穀稈の穂先に対して脱穀処理を行えるようになっている。
前記扱胴受網１４０は、前記扱胴１３０によって脱穀された前記被脱穀物のうち，所定外径以下のものだけを下方の前記選別部１５０に流下させるように構成されている。
さらに、該扱胴受網１４０は、後端部近傍に送じん口１４１を有しており、該送じん口１４１から大径の被脱穀物がチャフシーブ２２０へ落下するように構成されている。
【００２９】
前記選別部１５０は、駆動機構（図示せず）によって揺動されることで比重選別を行う揺動選別機構１５０Ａと、前記揺動選別機構１５０Ａに対して選別風を送出し且つ該選別風を機外に排出する風選別機構１５０Ｂとを有している。
【００３０】
前記揺動選別機構１５０Ａは、前記脱穀部１１０から流下される被脱穀物を受け止めるように該脱穀部１１０の下方に配設されたフィードパン２１０と、前記脱穀部１１０及び前記フィードパン２１０からの被脱穀物を受け、該被脱穀物から穀粒を選別するチャフシーブ２２０と、該チャフシーブ２２０の後方に配設されたストローラック２３０とを備えている。
なお、前記フィードパン２１０，前記チャフシーブ２２０及び前記ストローラック２３０は、機体長手方向に延びる一対の揺動側板１５１（図４参照）の間に配設されている。
【００３１】
前記フィードパン２１０は、前記脱穀部１１０から流下される被脱穀物を前記チャフシーブ２２０へ搬送するように構成されている。
具体的には、該フィードパン２１０は、被脱穀物を後方へ搬送する為に、上面が波状に形成された板体とされている。
【００３２】
前記チャフシーブ２２０は、前記脱穀部１１０及び前記フィードパン２１０からの被脱穀物を比重選別し得るように構成されている。
具体的には、前記チャフシーブ２２０は、機体幅方向に延びる複数のフィン２２１であって、間隔を存しつつ機体長手方向に並設された複数のフィン２２１を有しており、比重選別される穀粒が前記間隔を通って、下方に配置される一番樋３１０へ落下するようになっている。
なお、前記複数のフィン２２１は、それぞれの上端部回りに一体的に揺動可能とされており、駆動機構（図示せず）によって傾斜角を変更することで、前記間隔の開口幅が調整可能とされている。
【００３３】
前記ストローラック２３０は、前記チャフシーブ２２０から送られてくる被脱穀物のうち排藁等の大きな不要物を機体後方へ搬送すると共に、穀粒を含む小さな被脱穀物は下方に配置される二番樋３２０へ落下させ得るように構成されている。
具体的には、前記ストローラック２３０は、機体長手方向に延びる複数の板状部材２３１であって、間隔を存しつつ機体幅方向に並設された複数の板状部材２３１を有しており、前記間隔を介して穀粒等の小さな被脱穀物が前記二番樋３２０へ落下するようになっている。
なお、前記複数の板状部材２３１は、それぞれ、上面が波状に形成されており、これにより、排藁等の大きな不要物の後方への搬送を促進させている。
【００３４】
前記一番樋３１０は、脱穀機枠の両側板１２２（図４参照）の間に延びる前方側の傾斜板３１５及び第１流穀板３１１によって側面視凹状に形成されており、前記チャフシーブ２２０から落下した一番穀粒を凹状部に集約させ得るように構成されている。
該一番樋３１０の凹状部には機体幅方向に沿って前記一番コンベア３３０が配設されている。
該一番コンベア３３０の搬送下流端部は前記揚穀コンベア（図示せず）に接続されており、前記一番樋３１０の凹状部に集約された穀粒は、該一番コンベア３３０及び揚穀コンベアによって前記グレンタンク１３内に搬入されるようになっている。
【００３５】
なお、本実施の形態においては、前記揺動選別機構１５０Ａは、前記チャフシーブ２２０と前記一番樋３１０との間に配設されたグレンシーブ２４０を有している。
該グレンシーブ２４０は第２選別部として作用するものであり、例えば、網状体によって形成される。
【００３６】
前記二番樋３２０は、前記一番樋３１０の後方に連設されている。
具体的には、該二番樋３２０は、脱穀機枠の両側板１２２（図４参照）の間に延びる前方側の傾斜板３２５及び第２流穀板３２１によって側面視凹状に形成されており、前記ストローラック２３０から落下した二番穀粒を凹状部に集約させ得るように構成されている。
該二番樋３２０の凹状部には機体幅方向に沿って二番コンベア３４０が配設されている。
該二番コンベア３４０の搬送下流端部は二番還元コンベア（図示せず）に接続されており、該二番コンベア３４０及び二番還元コンベアによって、前記二番樋３２０の凹状部に集約された二番穀粒が、前記フィードパン２１０上に戻されるようになっている。
【００３７】
前記風選別機構１５０Ｂは、前記揺動選別機構１５０Ａに対して選別風を送出するように構成されており、選別風によって該揺動選別機構１５０Ａによる穀粒の選別を促進させ得るようになっている。
具体的には、該風選別機構１５０Ｂは、前記揺動選別機構１５０Ａに対して下方から上方へ抜ける選別風を送出する唐箕ファン４１０と、前記唐箕ファン４１０からの選別風を吸引して機外に排出させる吸引ファン４５０とを備えている。
【００３８】
前記唐箕ファン４１０は、前記揺動選別機構１５０Ａの下方で且つ前記一番樋３１０の前方において、機体幅方向に沿った回転軸回りに回転駆動されるように構成されている。
具体的には、該唐箕ファン４１０は、図３及び図４に示すように、脱穀機枠の両側板１２２と、後方が開口とされた唐箕ファンケース４２０とによって画される空間内に配設されており、後方且つ上方へ向けて選別風を送出し得るようになっている。
より詳しくは、該唐箕ファンケース４２０は、前記唐箕ファン４２０を囲繞する唐箕ファンケース本体４２１と、前端部が該唐箕ファンケース本体４２１に流体接続され且つ後端部が斜め後方へ向けて開口された中空の風路ケース４２２とを有している。
なお、前記脱穀機枠の側板１２２には、前記唐箕ファン４１０へ吸気させる吸入口が設けられている。
【００３９】
本実施の形態においては、前述の通り、前記チャフシーブ２２０と前記一番樋３１０との間に前記グレンシーブ２４０が設けられている。
従って、該風選別機構１５０Ｂには、選別風の流れ方向に関し前記唐箕ファン４１０と前記グレンシーブ２４０との間に風向板４３０が設けられており、該風向板４３０によって、選別風を、前記グレンシーブ２４０の下方から前記チャフシーブ２２０の上方へ抜ける第１選別風１０４と、前記第１流穀板３１１へ向く第２選別風４０２とに分離させるようになっている。
好ましくは、該風向板４３０は、側面視において、上面が流線形状とされ、且つ、後端部４３１が前記風路ケース４２２の後端部から後方へ突出した状態で該風路ケース４２２内に配設される。
斯かる構成を備えることにより、前記グレンシーブ２４０の全域に対して前記第１選別風を効果的に供給でき、これにより、選別効率の向上を図ることができる。
【００４０】
前記吸引ファン４５０は、前記唐箕ファン４１０による選別風を吸引して、該選別風の流れに乗ってきた塵等を機外に排出させるように構成されている。
具体的には、該吸引ファン４５０は、前記揺動選別機構１５０Ａの上方において、機体幅方向に沿った回転軸回りに回転駆動されるように構成されている。
より詳しくは、該吸引ファン４５０は、前記揺動選別機構１５０Ａを向く前方開口４６１と、機外５００に連通された後方開口４６２とを有する吸引ファンカバー４６０に覆われており、前記選別風を前記前方開口４６１を介して吸引し、前記後方開口４６２から排出するようになっている。
なお、該吸引ファン４５０の両側方は、前記脱穀機枠の両側板１２２によって閉塞されている。
【００４１】
本実施の形態に係るコンバイン１Ａにおいては、図３に示すように、前記吸引ファン４５０と前記ストローラック２３０との間に、該吸引ファン４５０の吸引側及び吐出側を連通する開口５１０が設けられている。
該開口５１０を設けることにより、前記唐箕ファン４１０からの選別風に乱流が発生することを有効に防止又は低減でき、前記揺動選別機構１５０Ａの下方から上方へ抜けて、機外に排出される選別風流れを効果的に形成することができる。
【００４２】
ところで、前記開口５１０を設けると、選別風の効果的な流れを形成し易い反面、揺動選別機構１５０Ａから飛散する穀粒が該開口５１０を介して機外に排出され、これにより、ロスが生じ易くなる。
この点に鑑み、本実施の形態に係るコンバイン１Ａは、図３に示すように、前記開口５１０の少なくとも一部を遮るように、基端部回りに弾性変形可能な遮閉部材５５０を備えており、該遮閉部材５５０によって、飛散する穀粒を該前記二番樋３２０に流下させて、ロスの低減を図っている。
又、前記遮閉部材５５０は、弾性変形可能な部材によって形成されている為、前記ストローラック２３０によって機外へ搬送される排藁等の不要物量が多い場合であっても、該遮閉部材５５０が撓むことにより、目詰まりも防止される。
斯かる遮閉部材５５０は、前記作用を奏する限り、種々の材質によって形成され得るが、例えば、ゴムが好適に使用される。
【００４３】
好ましくは、前記ストローラック２３０を、前端部及び後端部の間に凹部２３２を有する形状に構成し、且つ、前記遮閉部材５５０の自由端部５５１が機体の長手方向に関し該凹部２３０と同一位置又は該凹部２３２より後方に位置するように、前記遮閉部材５５０を配設させることができる。
斯かる構成を備えることにより、前記ストローラック２３０によって後方へ搬送される不要物の目詰まりをより有効に防止できる。
【００４４】
さらに、本実施の形態に係るコンバイン１Ａにおいては、図３に示すように、機体の長手方向に関し前記チャフシーブ２２０と前記ストローラック２３０との間に、前記唐箕ファン４１０からの選別風を前記吸引ファン４５０へ案内する風向板６００が設けられており、これにより、前記唐箕ファン４１０から前記吸引ファン４５０へ至る風路の連通性を向上させ、穀粒の選別性能の向上を図っている。
具体的には、該風向板６００は、機体の幅方向に沿って延びる板状体とされており、下端部が前方に位置し且つ上端部が後方に位置する後方傾斜姿勢とされている。
【００４５】
本実施の形態においては、前記風向板６００が複数設けられている。
該複数の風向板６００（図示の形態では、第１〜第３風向板６０１〜６０３）は、互いの間に間隙が設けられた状態で、機体の長手方向に並設されている。
斯かる構成においては、前記チャフシーブ２２０における最後端のフィン２２１Ｒと最も前方に位置する風向板（図示の形態においては第１風向板６０１）との間の間隙、及び、隣接する風向板同士の間の間隙が、前記唐箕ファン４１０から前記吸引ファン４５０に至る風路を形成している。
【００４６】
斯かる風向板６００を備えることにより、前記唐箕ファン４１０から前記吸引ファン４５０へ至る選別風の流れを明確化させて乱流の発生を有効に防止でき、これにより、飛散する穀粒が該開口５１０を介して機外に排出されることを有効に防止できる。
さらに、本実施の形態においては、図３に示すように、前記遮閉板５５０の基端部５５２を、前記ファンケース４６０の前方開口４６１の下端部近傍に連結させている。
従って、揺動選別機構１５０Ａからの飛散穀粒を該遮閉板５５０によって前記二番樋３２０に有効に落下させることができる。
【００４７】
好ましくは、前記風向板６００の下端部は、前記唐箕ファン４１０からの選別風の風路を画する第１流穀板３１１に近接するように、前記チャフシーブ２２０におけるフィン２１の下端部よりも下方に位置される。
このように、風向板６００の下端部を下方に位置させることにより、前記唐箕ファン４１０から前記吸引ファン４５０への風の流れをより効果的に形成できる。
【００４８】
又、本実施の形態におけるように、前記風向板６００が複数設けられる態様においては、より好ましくは、最も前方に位置する風向板６０１から、前記第１流穀板３１１によって案内される選別風を最も多く案内する風向板６００Ｍ（図示の形態においては、第２風向板６０２。以下、最大風量風向板という）へ行くに従って、上端部が上方に位置するように構成することができ、これにより、前記唐箕ファン４１０から前記吸引ファン４５０への風の流れをより効果的に形成できる。
より好ましくは、前記最大風量風向板６００Ｍより後方に位置する風向板（図示の形態では、第３風向板６０３）は、前記最大風量風向板６００Ｍを基準にして後方に配置される風向板へ行くに従って、上端部が下方に位置するように構成され、これにより、前記チャフシーブ２２０から前記ストローラック２３０への排藁等の不要物の搬送を効率的に行うことができる。
【００４９】
又、好ましくは、前記複数の風向板６００は、前方側に位置する風向板から後方に位置する風向板へ行くに従って、下端部が下方に位置するように構成され、これにより、前記唐箕ファン４１０から前記吸引ファン４５０への風の流れをより効果的に形成できる。
【図面の簡単な説明】
【００５０】
【図１】図１は、本発明の一実施の形態に係るコンバインの側面図である。
【図２】図２は、図１に示すコンバインの平面図である。
【図３】図３は、図１及び図２に示すコンバインにおける脱穀装置の模式断面図である。
【図４】図４は、図３に示す脱穀装置の模式背面図である。
【符号の説明】
【００５１】
１Ａ          コンバイン
１１０        脱穀部
１５０        選別部
１５０Ａ      揺動選別機構
２２０        チャフシーブ
２３０        ストローラック
２３２        ストローラックの凹部
４１０        唐箕ファン
４５０        吸引ファン
４６０        吸引ファンカバー
５００        機外
５１０        開口
５５０        遮閉部材
６００        風向板
【図１】
2006254815.tif 000003
【図２】
2006254815.tif 000004
【図３】
2006254815.tif 000005
【図４】
2006254815.tif 000006